【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
ベースレイヤ及び少なくとも１つのエンハンスメントレイヤを含む複数のレイヤに基づいてレイヤ化されたビットストリームに関する記述データを生成するための方法であって、該方法が、
前記レイヤ化されたビットストリームに対応する複数のサンプルを複数のサンプルグループにグループ化するステップと、
前記複数のサンプルグループの中の少なくとも１つのサンプルグループの少なくとも１つの動作情報項目を決定するステップと、
前記複数のサンプルグループの中の前記少なくとも１つのサンプルグループの前記少なくとも１つの動作情報項目を少なくとも記述する記述データを生成するステップと、
を備え、
前記少なくとも１つの動作情報項目の各々は、前記レイヤ化されたビットストリームの独立に復号可能なサブセットを表す、方法。
【請求項２】
装置からのリクエストに応じて、生成された前記記述データを該装置へ出力するステップを更に備える、
請求項１に記載の方法。
【請求項３】
前記少なくとも１つの動作情報項目の各々は、
前記ベースレイヤに基づくビットストリームが独立に復号可能であること、並びに
前記少なくとも１つのエンハンスメントレイヤの内の１つ及び前記ベースレイヤの両方に基づくビットストリームが独立に復号可能であること
を指定する、
請求項１に記載の方法。
【請求項４】
前記少なくとも１つのエンハンスメントレイヤの内の１つ及び前記ベースレイヤの両方に基づくビットストリームの画像品質が該ベースレイヤに基づくビットストリームの画像品質よりも高い、
請求項１に記載の方法。
【請求項５】
少なくとも１つのレイヤ情報項目を取得するステップを更に備え、
前記少なくとも１つのレイヤ情報項目は、前記レイヤ化されたビットストリームにおけるレイヤ編成に関するメタデータを提供する、
請求項１に記載の方法。
【請求項６】
一のレイヤ情報項目がデフォルトのレイヤ情報項目として定義され、
レイヤ編成に関するメタデータに関連しない一のサンプルグループに属するサンプルが、前記デフォルトのレイヤ情報項目によって提供されるメタデータに基づいて復号される、
請求項５に記載の方法。
【請求項７】
一の動作情報項目がデフォルトの動作情報項目として定義され、
記述的情報に関するメタデータに関連しない一のサンプルグループに属するサンプルが、前記デフォルトの動作情報項目によって提供されるメタデータに基づいて復号される、
請求項１に記載の方法。
【請求項８】
１以上のビットストリームのカプセル化により生じるカプセル化されたビットストリームからメディアデータ及びメタデータを取得する方法であって、前記１以上のビットストリームの各々の前記メディアデータがベースレイヤ及び少なくとも１つのエンハンスメントレイヤを含む複数のレイヤに編成され、該方法が、
前記１以上のビットストリームの少なくとも１つについての少なくとも１つの動作情報項目を記述する記述データを取得するステップと、
記述された前記少なくとも１つの動作情報項目の内の少なくとも１つを取得するステップと、
を備え、
取得された前記少なくとも１つの動作情報項目の各々は、サンプルが独立に復号可能である一のサンプルグループを表す、
方法。
【請求項９】
前記少なくとも１つの動作情報項目の各々は、
前記ベースレイヤに基づくビットストリームが独立に復号可能であること、並びに
前記少なくとも１つのエンハンスメントレイヤの内の１つ及び前記ベースレイヤの両方に基づくビットストリームが独立に復号可能であること
を指定する、
請求項８に記載の方法。
【請求項１０】
前記少なくとも１つのエンハンスメントレイヤの内の１つ及び前記ベースレイヤの両方に基づくビットストリームの画像品質が該ベースレイヤに基づくビットストリームの画像品質よりも高い、
請求項８に記載の方法。
【請求項１１】
少なくとも１つのレイヤ情報項目を取得するステップを更に備え、
前記少なくとも１つのレイヤ情報項目は、レイヤ化されたビットストリームにおけるレイヤ編成に関するメタデータを提供する、
請求項８に記載の方法。
【請求項１２】
一のレイヤ情報項目がデフォルトのレイヤ情報項目として定義され、
レイヤ編成に関するメタデータに関連しない一のサンプルグループに属するサンプルが、前記デフォルトのレイヤ情報項目によって提供されるメタデータに基づいて復号される、
請求項１１に記載の方法。
【請求項１３】
一の動作情報項目がデフォルトの動作情報項目として定義され、
記述的情報に関するメタデータに関連しない一のサンプルグループに属するサンプルが、前記デフォルトの動作情報項目によって提供されるメタデータに基づいて復号される、請求項８に記載の方法。
【請求項１４】
第１サンプルグループのサンプルを再構成するための順序を動作情報項目から取得するステップを更に備える、
請求項８に記載の方法。
【請求項１５】
プログラム可能な装置のためのコンピュータプログラム製品であって、該コンピュータプログラム製品は、プログラムがプログラム可能な装置に読み込まれて実行されると、請求項１から１４のいずれか一項に記載の方法の各ステップを実行するための命令を備える、コンピュータプログラム製品。
【請求項１６】
ベースレイヤ及び少なくとも１つのエンハンスメントレイヤを含む複数のレイヤに基づいてレイヤ化されたビットストリームに関する記述データを生成するデバイスであって、該デバイスが、
前記レイヤ化されたビットストリームに対応する複数のサンプルを複数のサンプルグループにグループ化するステップと、
前記複数のサンプルグループの中の少なくとも１つのサンプルグループの少なくとも１つの動作情報項目を決定するステップと、
前記複数のサンプルグループの中の前記少なくとも１つのサンプルグループの前記少なくとも１つの動作情報項目を少なくとも記述する記述データを生成するステップと、
を実行するように構成されたマイクロプロセッサを備え、
前記少なくとも１つの動作情報項目の各々は、前記レイヤ化されたビットストリームの独立に復号可能なサブセットを表す、
デバイス。
【請求項１７】
前記マイクロプロセッサが、装置からのリクエストに応じて、生成された前記記述データを該装置へ出力するステップを実行するように更に構成されている、
請求項１６に記載のデバイス。
【請求項１８】
前記少なくとも１つの動作情報項目の各々は、
前記ベースレイヤに基づくビットストリームが独立に復号可能であること、並びに
前記少なくとも１つのエンハンスメントレイヤの内の１つ及び前記ベースレイヤの両方に基づくビットストリームが独立に復号可能であること
を指定する、
請求項１６に記載のデバイス。
【請求項１９】
前記少なくとも１つのエンハンスメントレイヤの内の１つ及び前記ベースレイヤの両方に基づくビットストリームの画像品質が該ベースレイヤに基づくビットストリームの画像品質よりも高い、
請求項１６に記載のデバイス。
【請求項２０】
前記マイクロプロセッサが、少なくとも１つのレイヤ情報項目を取得するステップを実行するように更に構成されており、
前記少なくとも１つのレイヤ情報項目は、前記レイヤ化されたビットストリームにおけるレイヤ編成に関するメタデータを提供する、
請求項１６に記載のデバイス。
【請求項２１】
一のレイヤ情報項目がデフォルトのレイヤ情報項目として定義され、
レイヤ編成に関するメタデータに関連しない一のサンプルグループに属するサンプルが、前記デフォルトのレイヤ情報項目によって提供されるメタデータに基づいて復号される、
請求項２０に記載のデバイス。
【請求項２２】
一の動作情報項目がデフォルトの動作情報項目として定義され、
記述的情報に関するメタデータに関連しない一のサンプルグループに属するサンプルが、前記デフォルトの動作情報項目によって提供されるメタデータに基づいて復号される、
請求項１６に記載の方法。
【請求項２３】
１以上のビットストリームのカプセル化により生じるカプセル化されたビットストリームからメディアデータ及びメタデータを取得するデバイスであって、前記１以上のビットストリームの各々の前記メディアデータがベースレイヤ及び少なくとも１つのエンハンスメントレイヤを含む複数のレイヤに編成され、該デバイスが、
前記１以上のビットストリームの少なくとも１つについての少なくとも１つの動作情報項目を記述する記述データを取得するステップと、
記述された前記少なくとも１つの動作情報項目の内の少なくとも１つを取得するステップと、
を実行するように構成されたマイクロプロセッサを備え、
取得された前記少なくとも１つの動作情報項目の各々は、サンプルが独立に復号可能である一のサンプルグループを表す、
デバイス。
【請求項２４】
前記少なくとも１つの動作情報項目の各々は、
前記ベースレイヤに基づくビットストリームが独立に復号可能であること、並びに
前記少なくとも１つのエンハンスメントレイヤの内の１つ及び前記ベースレイヤの両方に基づくビットストリームが独立に復号可能であること
を指定する、
請求項２３に記載のデバイス。
【請求項２５】
前記少なくとも１つのエンハンスメントレイヤの内の１つ及び前記ベースレイヤの両方に基づくビットストリームの画像品質が該ベースレイヤに基づくビットストリームの画像品質よりも高い、
請求項２３に記載のデバイス。
【請求項２６】
前記マイクロプロセッサが少なくとも１つのレイヤ情報項目を取得するステップを実行するように更に構成されており、
前記少なくとも１つのレイヤ情報項目は、レイヤ化されたビットストリームにおけるレイヤ編成に関するメタデータを提供する、
請求項２３に記載のデバイス。
【請求項２７】
一のレイヤ情報項目がデフォルトのレイヤ情報項目として定義され、
レイヤ編成に関するメタデータに関連しない一のサンプルグループに属するサンプルが、前記デフォルトのレイヤ情報項目によって提供されるメタデータに基づいて復号される、
請求項２６に記載のデバイス。
【請求項２８】
一の動作情報項目がデフォルトの動作情報項目として定義され、
記述的情報に関するメタデータに関連しない一のサンプルグループに属するサンプルが、前記デフォルトの動作情報項目によって提供されるメタデータに基づいて復号される、
請求項２３に記載のデバイス。
【請求項２９】
前記マイクロプロセッサが第１サンプルグループのサンプルを再構成するための順序を動作情報項目から取得するステップを実行するように更に構成されている、
請求項２３に記載のデバイス。